(57)【要約】【課題】装飾体の動作パターンを多様化した遊技機を提供する。【解決手段】パチンコ機は、右移動部材６８、右装飾体３５、及び右ロック部材１５７を備える。右移動部材６８は、左右方向に移動可能である。右装飾体３５は、上端位置と下端位置との間を、初期位置を経由して昇降可能である。右ロック部材１５７は、ロック位置とロック解除位置との間を回転する。右装飾体３５が初期位置と上端位置のいずれの位置にある場合でも、ロック位置にある右ロック部材１５７は、右装飾体３５が下端位置に向けて落下するのを規制する。【選択図】図６
2019030466.tif 000002
【特許請求の範囲】
【請求項１】
付勢されることに伴い待機位置から停止位置まで変位する可動装飾体と、
前記可動装飾体が前記停止位置に向けて変位するのを規制するロック位置と、前記可動装飾体が前記停止位置に向けて変位するのを許容するロック解除位置との間で変位するロック部材と、
前記可動装飾体の可動範囲には、前記待機位置と前記停止位置とは異なる所定位置が含まれ、
前記可動装飾体が前記待機位置と前記所定位置とのいずれの位置にある場合でも、前記ロック位置にある前記ロック部材は、前記可動装飾体が前記停止位置に向けて変位するのを規制することを特徴とする遊技機。
【請求項２】
前記ロック位置に向けて付勢される前記ロック部材に接触して、前記ロック部材を前記ロック位置で位置決めする位置決め部を備えることを特徴とする請求項１に記載の遊技機。
【請求項３】
前記ロック部材は、前記可動装飾体を保持することで前記可動装飾体が前記停止位置に向けて変位するのを規制する保持部を備え、
前記保持部は湾曲していることを特徴とする請求項１又は２に記載の遊技機。
【請求項４】
前記ロック部材は、前記可動装飾体を保持することで前記可動装飾体の前記停止位置に向けて変位するのを規制する保持部を備え、
前記保持部は、前記可動装飾体が付勢される方向に対して傾斜することを特徴とする請求項１又は２に記載の遊技機。
【請求項５】
前記所定位置は、前記待機位置に対して前記停止位置とは反対側となる位置であり、
前記ロック位置にある前記ロック部材は、前記待機位置にある前記可動装飾体が前記所定位置に向けて変位するのを規制することを特徴とする請求項１から４のいずれかに記載の遊技機。
【発明の詳細な説明】
【技術分野】
【０００１】
本発明は、遊技機に関する。
【背景技術】
【０００２】
従来、駆動手段の駆動力によって装飾体を移動させる遊技機が知られている。例えば、特許文献１に開示の遊技機は、ステップモータ、刀部材、及び軸部を備える。ステップモータの駆動力で、刀部材は、軸部を中心として格納位置から露出位置まで瞬間的に回動し、あたかも刀が瞬時に振り下ろされたかのような演出を行う。
【先行技術文献】
【特許文献】
【０００３】
【特許文献１】特開２００８−２００１９３号公報
【発明の概要】
【発明が解決しようとする課題】
【０００４】
上記遊技機では、刀部材が、格納位置から露出位置まで移動する移動パターンが１パターンしかない。従って、刀部材の移動させる場合の演出効果が単調になる可能性がある。
【０００５】
本発明の目的は、装飾体の動作パターンを多様化した遊技機を提供することである。
【課題を解決するための手段】
【０００６】
本発明の遊技機は、付勢されることに伴い待機位置から停止位置まで変位する可動装飾体と、前記可動装飾体が前記停止位置に向けて変位するのを規制するロック位置と、前記可動装飾体が前記停止位置に向けて変位するのを許容するロック解除位置との間で変位するロック部材と、前記可動装飾体の可動範囲には、前記待機位置と前記停止位置とは異なる所定位置が含まれ、前記可動装飾体が前記待機位置と前記所定位置とのいずれの位置にある場合でも、前記ロック位置にある前記ロック部材は、前記可動装飾体が前記停止位置に向けて変位するのを規制することを特徴とする。
【０００７】
上記構成によれば、可動装飾体は、待機位置から停止位置まで変位する動作と、待機位置から所定位置まで変位する動作と、所定位置から停止位置まで変位する動作との少なくとも三パターンの動作を実行できる。よって、装飾体の動作パターンが多様化した遊技機が実現できる。
【０００８】
前記遊技機は、前記ロック位置に向けて付勢される前記ロック部材に接触して、前記ロック部材を前記ロック位置で位置決めする位置決め部を備えてもよい。この場合、付勢されるロック部材がロック位置で位置決めされる構成が採用されるので、ロック部材をロック位置にて安定的に保持できる。よって、ロック位置にあるロック部材は、可動装飾体が停止位置に向けて変位するのを確実に規制できる。
【０００９】
前記遊技機において、前記ロック部材は、前記可動装飾体を保持することで前記可動装飾体が前記停止位置に向けて変位するのを規制する保持部を備え、前記保持部は湾曲してもよい。この場合、ロック部材がロック位置からロック解除位置に変位する場合、保持部は可動装飾体に対して摺動する。保持部が湾曲しているので、ロック部材はロック解除位置に変位し易い。
【００１０】
前記遊技機において、前記ロック部材は、前記可動装飾体を保持することで前記可動装飾体の前記停止位置に向けて変位するのを規制する保持部を備え、前記保持部は、前記可動装飾体が付勢される方向に対して傾斜してもよい。この場合、ロック部材がロック位置からロック解除位置に変位する場合、保持部は可動装飾体に対して摺動する。保持部が、可動装飾体が付勢される方向に対して傾斜しているので、ロック部材はロック解除位置に変位し易い。
【００１１】
前記遊技機において、前記所定位置は、前記待機位置に対して前記停止位置とは反対側となる位置であり、前記ロック位置にある前記ロック部材は、前記待機位置にある前記可動装飾体が前記所定位置に向けて変位するのを規制してもよい。この場合、所定位置が待機位置に対して停止位置とは反対側にあるので、可動装飾体の動作パターンが識別され易い。よって、装飾体を変位させる場合の演出効果は向上する。また、待機位置にある可動装飾体が所定位置に向けて変位するのをロック位置にあるロック部材が規制できるので、可動装飾体に突発的な外力が作用した場合であっても、可動装飾体は待機位置に安定的に位置することができる。
【図面の簡単な説明】
【００１２】
【図１】パチンコ機１の正面図である。
【図２】遊技盤２の正面図である。
【図３】演出装置３０の正面図である。
【図４】前側からみた演出装置３０の斜視図である。
【図５】後側からみた演出装置３０の斜視図である（枠状筐体３３の図示省略）。
【図６】初期位置にある右装飾体３５を保持する右ロック機構１５０の斜視図である。
【図７】右装飾体３５が作動回転位置にある演出装置３０の斜視図である（左装飾体３４等の図示省略）。
【図８】右回転機構８０の拡大斜視図である（右装飾体３５の一部省略）。
【図９】右装飾体３５が初期位置にある右演出装置３１の断面図である。
【図１０】右移動部材６８、回転部材１０８の斜視図である。
【図１１】前側からみた右昇降機構１００の斜視図である。
【図１２】図１１で示される右ラック１０５と右昇降体１０２を後側からみた模式図である。
【図１３】上側からみた右演出装置３１の斜視図である。
【図１４】右遮蔽部材１２２と収容部１２１Ａの前部の図示を省略した右連動装飾部１２０の斜視図である。
【図１５】右ロック機構１５０の分解斜視図である。
【図１６】演出装置３０の第一動作の流れを示す説明図。
【図１７】演出装置３０の第二動作の流れを示す説明図。
【図１８】右ラック１０５が右昇降体１０２に接触する右昇降機構１００の模式図である。
【図１９】上端位置にある右装飾体３５を保持する右ロック機構１５０の斜視図である。
【図２０】右ラック１０５が可動範囲下端にある右昇降機構１００の模式図である。
【図２１】右装飾体３５が下端位置まで落下する直前の右演出装置３１の断面図である。
【図２２】右装飾体３５が下端位置にある右演出装置３１の斜視図である（左装飾体３４等の図示省略）。
【図２３】右ロック部材１５７の変形例である右ロック部材２５７の斜視図である。
【発明を実施するための形態】
【００１３】
以下、本発明に係る遊技機の一実施の形態であるパチンコ機１について、図面を参照して説明する。
【００１４】
図１および図２を参照して、パチンコ機１の機械的構成について説明する。図１に示すように、パチンコ機１の上半分の部分には遊技盤２が設けられている。遊技盤２は略正方形であり（図２参照）、透明なガラス板を保持したガラス枠１３によって前面を保護されている。遊技盤２の下方部には、発射機に金属製の遊技球を供給し、且つ賞球を受ける上皿５が設けられている。上皿５の直下には、賞球を受ける下皿６が設けられている。下皿６の右横には、遊技球の発射を調整する発射ハンドル７が設けられている。ガラス枠１３の上部の左右の角にはスピーカ４８がそれぞれ設けられている。
【００１５】
図２に示すように、遊技盤２の前面には、ガイドレール３で囲まれた略円形の遊技領域４が形成されている。発射機によって発射された遊技球は、遊技領域４内を流下する。遊技領域４の略中央には、ＬＣＤ（液晶ディスプレイ）等で構成される画像表示装置２８の表示画面２８Ａが後方から露出可能な表示開口８が設けられる。画像表示装置２８は、遊技者が大量の賞球を獲得可能な大当たり遊技を生起するか否かの大当たり判定の結果を報知するためのデモ図柄を表示する。パチンコ機１は、複数（本実施形態では３つ）のデモ図柄を変動させた後に、大当たり判定の結果を示すデモ図柄の組合せを確定表示させる報知演出を実行することで、大当たり判定の結果を遊技者に報知する。
【００１６】
表示開口８の右側には、普通図柄始動ゲート１２が設けられる。遊技球が普通図柄始動ゲート１２を通過すると、普通当たり判定が行われる。普通図柄始動ゲート１２の下方には、略箱状に形成されたアタッカー装置２５が設けられている。アタッカー装置２５は、案内流路、複数の大入賞口、遊技球を左方に向けて放出する放出口等を備える。複数の大入賞口は、大当たりの判定に伴って、所定のタイミングで開放される。このとき、アタッカー装置２５の内部を流下する遊技球は大入賞口に入賞可能となる。
【００１７】
表示開口８の下方には、上方から順に、第一特別図柄始動電動役物１４、第二特別図柄始動電動役物１６、及びアウト口１９が設けられている。第一特別図柄始動電動役物１４に遊技球が入賞することを契機として、第一特別図柄の大当たり判定が行われる。第二特別図柄始動電動役物１６は、普通当たり判定によって当たりと判定された場合に、入賞可能となる。第二特別図柄始動電動役物１６に遊技球が入賞することを契機として、第二特別図柄の大当たり判定が行われる。アウト口１９は、遊技領域４の下端まで流下した遊技球を回収し、遊技盤２の後側へ排出する。
【００１８】
遊技盤２の後側には、演出装置３０（図３参照）が設けられる。演出装置３０は、表示画面２８Ａよりも前側にある右装飾体３５、左装飾体３４、及び右連動装飾体１２１等を動作させる。演出装置３０の構成の詳細は後述する。
【００１９】
図示しないが、パチンコ機１の背面側には制御部（図示略）が設けられている。制御部は、主基板、中継基板、サブ制御基板、及び払出制御基板等を備える。各基板は、ＣＰＵ、ＲＡＭ、ＲＯＭ等を備えており、パチンコ機１の各種動作を制御する。例えば、主基板は、普通当たり判定、大当たり判定等を行い、パチンコ機１の主制御を司る。主基板は、第一特別図柄始動電動役物１４、第二特別図柄始動電動役物１６等に接続されている。中継基板は、主基板で行われた各種判定の結果等に基づいて、アタッカー装置２５を駆動する。サブ制御基板は、主基板で行われた各種判定の結果等に基づいて、各種演出動作を実行する。サブ制御基板は、演出装置３０を駆動制御するランプドライバ基板、及び、画像表示装置２８の表示制御を行う演出制御基板等に接続されている。払出制御基板は、パチンコ機１に設けられた賞球払出装置（図示略）を、主基板から送信されるコマンドに応じて駆動し、賞球としての遊技球を上皿５に払い出させる。
【００２０】
演出装置３０の構成を説明する。図３に示すように、演出装置３０は、枠状筐体３３、右演出装置３１、及び左演出装置３２を備える。右演出装置３１と左演出装置３２は、それぞれ、枠状筐体３３の右部と左部に取り付けられる。右演出装置３１と左演出装置３２は互いに略左右対称な構成である。以下、説明を簡略化する都合、右演出装置３１の構成を説明し、左演出装置３２については右演出装置３１と左右対称でない構成についてのみ説明する。
【００２１】
図４で示される右演出装置３１は、右装飾体３５を動作させる装置である。右演出装置３１は、右スライド機構６０、右回転機構８０、右昇降機構１００、右ロック機構１５０を備える。右スライド機構６０は右装飾体３５を左右方向に移動させ、右回転機構８０は右装飾体３５を回転させ、右昇降機構１００は右装飾体３５を上下方向に移動させ、右ロック機構１５０は右装飾体３５を所定の高さ位置で保持する。
【００２２】
図３〜図６を参照し、右スライド機構６０の構成を説明する。図３〜図５に示すように、右スライド機構６０は、上レール６４、右スライドモータ６３、右移動部材６８、及び右アーム６５を備える。上レール６４は、枠状筐体３３の上部に設けられ、左右方向に延びる。右スライドモータ６３は、枠状筐体３３の右下部に設けられる。右移動部材６８は、上下方向に延びる部材である。右移動部材６８は、上レール６４と枠状筐体３３の下部とによって、左右方向に移動可能に支持される。右移動部材６８の前部は右装飾体３５を支持する。右アーム６５の一端部（基端部）は、枠状筐体３３に設けられた前後方向に沿う支持軸によって、回転可能に支持される。右アーム６５は、右スライドモータ６３と駆動連結しており、右スライドモータ６３の駆動力で支持軸を中心に回転する。
【００２３】
図６に示すように、右アーム６５の他端部（先端部）には開口部が形成されており、開口部の右側壁部７３は、第一壁部７３Ａと第二壁部７３Ｂとで構成される。第一壁部７３Ａは右側壁部７３の右下部を構成し、第二壁部７３Ｂは右側壁部７３の左上部を構成する。第二壁部７３Ｂの勾配は、第一壁部７３Ａの勾配よりも急である。右アーム６５の開口部には、右移動部材６８から後方に突出する挿入ピン７５が挿入される。挿入ピン７５に回転可能に設けられた摺動部７６は、右アーム６５の開口部に摺動可能に嵌る。
【００２４】
右アーム６５が右スライドモータ６３の駆動力で回転すると、右アーム６５の開口部が摺動部７６に対して摺動し、右移動部材６８は左右方向に移動する。例えば、右アーム６５が背面視で時計回りに回転する場合（図６の矢印Ｅ）、第一壁部７３Ａと第二壁部７３Ｂが順に摺動部７６に対して摺動することで、右移動部材６８は可動範囲右端から左方へ移動する。以下、右移動部材６８が可動範囲右端にあるときの右装飾体３５の位置を離隔位置（図３参照）といい、右移動部材６８が可動範囲左端にあるときの右装飾体３５の位置を接近位置（図４参照）という。
【００２５】
また、右スライド機構６０は、右原点センサ６１と右作動センサ６２を備える（図７参照）。右原点センサ６１は枠状筐体３３の右下部に設けられ、右作動センサ６２は枠状筐体３３の左上部に設けられており、いずれのセンサも光学式のセンサである。右原点センサ６１の検知領域には右アーム６５が進入可能であり、右作動センサ６２の検知領域には右移動部材６８が進入可能である。具体的には、右装飾体３５が離隔位置にある場合、右アーム６５は右原点センサ６１の検知領域に進入し、右移動部材６８は右作動センサ６２の検知領域から右方に退出する。一方、右装飾体３５が接近位置にある場合、右アーム６５は右原点センサ６１の検知領域から左上方に退出し、右移動部材６８は右作動センサ６２の検知領域に進入する。従って、パチンコ機１は、右原点センサ６１と右作動センサ６２の検知結果に関する情報に基づいて、右装飾体３５の左右方向位置を検知できる。
【００２６】
図７、図８を参照し、右回転機構８０を説明する。右回転機構８０は右支持体８２を備える。右支持体８２は、右移動部材６８に上下動可能に設けられた後述の右昇降体１０２（図１１参照）に固定される。即ち、右支持体８２は、右移動部材６８に対して上下動可能に連結する。右支持体８２には、出力軸が前後方向に延びる右回転モータ８３と、光学式のセンサである右回転センサ（図示外）が固定される。さらに、右支持体８２には、右回転体８５が設けられる。右回転体８５は、前後方向に延びる軸線を中心として回転可能であり、右回転センサの検知領域に進入可能である。右回転体８５は右回転モータ８３と駆動連結する。本実施形態では、右回転モータ８３の出力軸に固定されたギヤ等を介して、右回転体８５は右回転モータ８３と駆動連結する。右回転体８５は右回転モータ８３の出力軸に直接的に固定されてもよい。この場合、右装飾体３５は、右回転モータ８３の出力軸と一体的に回転する。
【００２７】
右回転体８５は、右装飾体３５を支持しており、右装飾体３５と共に一体的に回転する。右装飾体３５は、可動範囲の一端となる初期回転位置（図４参照）と、可動範囲の他端となる作動回転位置（図７参照）との間を回転する。右装飾体３５は、演出動作の開始に伴って正面視で反時計回りに回転することで、初期回転位置から作動回転位置まで回転する。右装飾体３５が初期回転位置にある場合、右回転体８５は右回転センサの検知領域に進入する。右装飾体３５が作動回転位置にある場合、右回転体８５は右回転センサの検知領域から退出する。
【００２８】
図９、図２２を参照し、右装飾体３５を説明する。右装飾体３５は、右収容体３６、右磁性体３７、右開口部３９、及び右進入部３８を備える。右収容体３６は箱状であり、右回転体８５に固定される。右収容体３６は、第一接触部３６Ａと第二接触部３６Ｂを備える（図９参照）。第一接触部３６Ａは、右収容体３６の下部から後方に突出する。第一接触部３６Ａは、後述の第一緩衝部材１１１（図８、図９参照）の真上に設けられる。第二接触部３６Ｂは、右収容体３６の一端部であり、右収容体３６が初期回転位置にある場合、右収容体３６の下端部となる。第二接触部３６Ｂは、後述の接触ピン１２１Ｂの真上に位置する。
【００２９】
右磁性体３７は、右収容体３６の内部の前側に収容された永久磁石である。本実施形態では、右磁性体３７は、右収容体３６の左壁部近傍で、上下方向に二つ並んで設けられる。右開口部３９と右進入部３８は、右収容体３６の上下方向中央部の後部に設けられる。右開口部３９は左方に向けて開放された開口部であり、右進入部３８は左方に向けて突出した板状である。本実施形態では、右開口部３９と右進入部３８が上側から順に交互に配置される。尚、右装飾体３５が初期回転位置にある場合、右装飾体３５の重心Ｇ１（図１０参照）は、右移動部材６８よりも右側に位置する。
【００３０】
図７、図１０〜図１４を参照し、右昇降機構１００を説明する。図７、図１０〜図１２に示すように、右昇降機構１００は、右昇降モータ１０３、右ラック１０５、右昇降体１０２、回転部材１０８、第一緩衝部材１１１、及び右連動装飾部１２０を備える。尚、図１１では、右移動部材６８と右連動装飾部１２０の図示が、他の部材を明示する都合により省略されている。また、図１２では図面を見易くする都合、右ラック１０５にハッチングを施して図示する（図１８、図２０も同様）。
【００３１】
図７、図１１に示すように、右昇降モータ１０３は、右移動部材６８の下端部に設けられ、右装飾体３５よりも後側にある。右ラック１０５は、右移動部材６８に形成された上下方向に長い長孔６８Ａに、上下動可能に設けられる。右ラック１０５は、連結部１０５Ａ、歯部１０５Ｂ、及び凸部１０５Ｃを備える。連結部１０５Ａは、長孔６８Ａに上下動可能に嵌っており、長孔６８Ａによって上下動を案内される。本実施形態では、連結部１０５Ａは、上下方向に沿って間隔を空けて複数設けられる。歯部１０５Ｂは、右昇降モータ１０３に駆動連結する。本実施形態では、歯部１０５Ｂは、枠状筐体３３に設けられた複数のギヤ部材を介して、右昇降モータ１０３と駆動連結する。従って、右昇降モータ１０３が駆動すると、右ラック１０５は長孔６８Ａに沿って上下動する。凸部１０５Ｃは、右ラック１０５の上端面から上方に向けて突出する。凸部１０５Ｃは一例として左右方向に間隔を空けて二つ設けられており、上側に向かう程先細るように湾曲状に形成される。
【００３２】
右昇降体１０２は、右ラック１０５の凸部１０５Ｃの上方に位置し、右移動部材６８の長孔６８Ａに上下動可能に連結する。右昇降体１０２が長孔６８Ａに上下動可能に連結する構成は、右ラック１０５と同様である。右昇降体１０２は、右回転機構８０の右支持体８２の後面に固定される。従って、右支持体８２は、右昇降体１０２及び右装飾体３５と共に上下動可能である。回転部材１０８（図１０参照）は、右回転機構８０の右支持体８２から後方に突出する軸部材に回転可能に設けられ、右移動部材６８の左面６８Ｂに対して摺動可能に接触する。左面６８Ｂは、側面視で上下方向に延びる矩形状の平面であり、右支持体８２（即ち右装飾体３５）の上下動を案内する。第一緩衝部材１１１は、枠状筐体３３の下部に設けられた弾性変形可能な部材である。本実施形態では、一例として、第一緩衝部材１１１は、直方体状のゴム部材である。
【００３３】
本実施形態では、二つの回転部材１０８が、右装飾体３５の重心Ｇ１と、左面６８Ｂとの間となる左右方向位置に設けられる。例えば、上昇する右ラック１０５が右昇降体１０２を押し上げると、右昇降体１０２と右装飾体３５は一体的に上昇し、回転部材１０８は左面６８Ｂに対して摺動する。
【００３４】
右昇降体１０２が上下動することで、右装飾体３５は、可動範囲上端である上端位置（図１７（ｃ）参照）と、可動範囲下端である下端位置（図１７（ｄ））との間を、初期位置（図１７（ａ））を経由して上下動する。初期位置は、上端位置よりも僅かに下方となる位置である。尚、図９で示す寸法Ｌ１は、右装飾体３５が初期位置にあるときの、第一接触部３６Ａと第一緩衝部材１１１の最短距離を示す。
【００３５】
図１２に示すように、右昇降機構１００は、更に、下センサ１２６と上センサ１２５を備える。下センサ１２６と上センサ１２５は、右移動部材６８に固定された光学式のセンサであり、下側から順に並んで設けられる。右昇降体１０２は、上下動に伴って、下センサ１２６と上センサ１２５のそれぞれの検知領域に進入可能である。一方、右ラック１０５は、上下動に伴って、下センサ１２６の検知領域のみに進入可能である。パチンコ機１は、下センサ１２６と上センサ１２５の検知結果を示す情報に基づき、右装飾体３５の上下位置を検知する。
【００３６】
図１３、図１４を参照し、右連動装飾部１２０を説明する。右連動装飾部１２０は画像表示装置２８（図２参照）の前側に設けられる。右連動装飾部１２０は、右遮蔽部材１２２（図３参照）、右支軸部１２３、右連動装飾体１２１、及び第二緩衝部材１１２を備える。尚、図面を見易くする都合により、図１３では右遮蔽部材１２２の図示を省略し、図１４では右遮蔽部材１２２と右連動装飾体１２１の前部との図示を省略する。
【００３７】
右遮蔽部材１２２（図３参照）は、枠状筐体３３の下部に取り付けられた部材であり、左右方向に延びる。右遮蔽部材１２２は、一例として透光性を有する樹脂材料によって形成される。右支軸部１２３は、枠状筐体３３の下部から前方に突出する軸部材であり、右遮蔽部材１２２の後方にある。右支軸部１２３は、一例として金属材料からなる。右連動装飾体１２１は右装飾体３５よりも小さな装飾体であり、正面視において、右連動装飾体１２１の最大寸法は、右装飾体３５の最大寸法よりも短い。
【００３８】
右連動装飾体１２１は、収容部１２１Ａ、接触ピン１２１Ｂ、及び重り１２１Ｃを備える。収容部１２１Ａは、ＬＥＤが取り付けられた基板である発光基板１２９を収容する箱状である。収容部１２１Ａは、一例として樹脂材料によって形成されており、収容部１２１Ａの前部は、透光性を有する樹脂製である。収容部１２１Ａの長手方向の一端部（左端部）は、右支軸部１２３によって回転可能に支持される。つまり、右連動装飾体１２１の半分以上は、右支軸部１２３よりも右側に配置されており、右連動装飾体１２１の重心Ｇ２は右支軸部１２３よりも右側に位置する。接触ピン１２１Ｂは、右支軸部１２３よりも左側に設けられ、右装飾体３５の第一接触部３６Ａ（図９参照）が上方から接触可能である。重り１２１Ｃは、収容部１２１Ａの内部の他端側（即ち右側）に設けられる。重り１２１Ｃの材質は、収容部１２１Ａの材料の比重よりも重いことが好ましく、本実施形態の重り１２１Ｃは金属製である。重り１２１Ｃは例えばゴム材料によって形成されてもよい。重り１２１Ｃが、収容部１２１Ａの他端側（右側）に設けられることで、右連動装飾体１２１の重心Ｇ２は、右支軸部１２３の長手方向の中心よりも右側となる。第二緩衝部材１１２は、収容部１２１Ａの一端部の真下で、枠状筐体３３に固定されている。第二緩衝部材１１２は一例として第一緩衝部材１１１と同一部材であり、右連動装飾体１２１とは別体である。
【００３９】
右連動装飾体１２１は、第一位置（図１７（ａ）参照）と第二位置（図２、図１７（ｄ）参照）との間を回転可能である。右連動装飾体１２１は、右支軸部１２３を中心に正面視で反時計回りに回転することで、第一位置から第二位置に回転する。右連動装飾体１２１が第一位置にあるとき、接触ピン１２１Ｂは第二緩衝部材１１２の少なくとも一部と上下方向に並ぶ（図１３参照）。尚、図９で示す寸法Ｌ２は、初期位置にある右装飾体３５の第二接触部３６Ｂと、第一位置にある右連動装飾体１２１の接触ピン１２１Ｂとの最短距離を示す。寸法Ｌ２は寸法Ｌ１よりも短い。従って、右装飾体３５の落下時、第二接触部３６Ｂが接触ピン１２１Ｂに接触した後に、第一接触部３６Ａは第一緩衝部材１１１に接触する。
【００４０】
図６、図１５を参照し、右ロック機構１５０の構成を説明する。右ロック機構１５０は、右装飾体３５を初期位置と上端位置のいずれかの位置で保持する機構である。右ロック機構１５０は、右移動部材６８の右上部に固定される。右ロック機構１５０は、右固定軸１５１、右ソレノイド１５２、右連結体１５３、右回転部材１５４、右ロック部材１５７、第一規制部１６１、第二規制部１６２、及び前カバー１５９を備える。
【００４１】
右固定軸１５１は、右移動部材６８から前方に突出する軸部材である。右ソレノイド１５２は、右固定軸１５１の左方に設けられる。右ソレノイド１５２の駆動軸は上下方向に延び、右連結体１５３に固定される。右ソレノイド１５２のコイルバネであるソレノイドバネは、駆動軸を下方へ付勢する。右連結体１５３は、右ソレノイド１５２の駆動軸と共に上下動する部材である。右連結体１５３は、右ソレノイド１５２の右方で前方に突出する突出部１５３Ａを備える。右回転部材１５４は、右移動部材６８に設けられると共に、前後方向を軸方向として回転可能である。右回転部材１５４は、長孔１５４Ａと突出軸１５４Ｂを備える。長孔１５４Ａは、右回転部材１５４の回転軸線と直交する方向に長い。長孔１５４Ａには、右連結体１５３の突出部１５３Ａが摺動可能に嵌っており、突出部１５３Ａが長孔１５４Ａに対して摺動すると右回転部材１５４が回転する構成となっている。突出軸１５４Ｂは、長孔１５４Ａの右下で前方に突出する。
【００４２】
右ロック部材１５７は、丸孔１５７Ａ、摺動孔１５７Ｂ、保持部１５７Ｃ、当接部１５７Ｄ、先端凹部１５７Ｅ（図６参照）、及び先端１５７Ｆ（図６参照）を備える。丸孔１５７Ａは、右固定軸１５１に回転可能に嵌る。摺動孔１５７Ｂは、右固定軸１５１と直交する方向に長い。摺動孔１５７Ｂには、右回転部材１５４の突出軸１５４Ｂが摺動可能に嵌る。従って、右回転部材１５４が回転すると、右ロック部材１５７は、右固定軸１５１を中心に回転する。保持部１５７Ｃは、右ロック部材１５７の上端部の一部を形成し、当接部１５７Ｄは右ロック部材１５７の上端部の他部を形成する。保持部１５７Ｃは、右固定軸１５１を中心として円弧状に湾曲する。当接部１５７Ｄは、保持部１５７Ｃの左側で上方に突出する。先端凹部１５７Ｅは、上方に凹む凹部であり、右ロック部材１５７の右下部に設けられる。先端１５７Ｆは、右ロック部材１５７の右端であり、先端凹部１５７Ｅよりも右方にある。先端１５７Ｆは、右側に向かうに従って先細るように形成される。
【００４３】
第一規制部１６１と第二規制部１６２は、右回転体８５の右支持体８２の右上後部に設けられる。第一規制部１６１と第二規制部１６２は、上側から順に隙間１６３を空けて並ぶ。第一規制部１６１は、右支持体８２から左方に向けて突出する突部の下面であり、滑らかに円弧状に湾曲する。第一規制部１６１の曲率半径は、保持部１５７Ｃの曲率半径とは異なることが好ましく、本実施形態では保持部１５７Ｃの曲率半径よりも大きい。第一規制部１６１は、初期位置にある右装飾体３５の保持部１５７Ｃに点接触可能である（図６参照）。第一規制部１６１が設けられた突部の上部には、前後方向に延びるリブである上凸部１６９が設けられる。第二規制部１６２は、右支持体８２から左方に突出する突部の下面であり、第一規制部１６１と略同一の形状である。第二規制部１６２が形成された突部の上部は、上端突起１６４である。第二規制部１６２は、上端位置にある右装飾体３５の保持部１５７Ｃに点接触可能である（図１９参照）。第一規制部１６１と第二規制部１６２との間にある隙間１６３には、ロック位置にある右ロック部材１５７の先端１５７Ｆが進入可能である。
【００４４】
前カバー１５９は、右移動部材６８に対して前方から取付けられる。前カバー１５９は位置決め部１５９Ａを備える。位置決め部１５９Ａは、右ロック部材１５７の当接部１５７Ｄの右方に位置する。当接部１５７Ｄが位置決め部１５９Ａに対して左方から接触可能である。
【００４５】
上記構成を有する右ロック機構１５０では、右ソレノイド１５２がＯＦＦの場合、ソレノイドバネの付勢力によって、右ロック部材１５７は、正面視で時計回りに付勢される。当接部１５７Ｄが位置決め部１５９Ａに左側から接触することで、右ロック部材１５７は、ロック位置（図６、図１９参照）で停止する。ロック位置にある右ロック部材１５７の保持部１５７Ｃには、第一規制部１６１又は第二規制部１６２が上方から点接触する。これにより、右ロック機構１５０は、初期位置又は上端位置にある右装飾体３５の落下を規制し保持する。尚、初期位置にある右装飾体３５を右ロック機構１５０が保持する場合（図６参照）、先端凹部１５７Ｅは上端突起１６４に対して上方から隙間を挟んで対向する。従って、右ロック機構１５０は、初期位置にある右装飾体３５が上昇するのを併せて規制する。
【００４６】
一方、右ソレノイド１５２がＯＮの場合、右ソレノイド１５２の駆動軸がソレノイドバネの付勢力に抗って可動範囲上端まで上昇し、右回転部材１５４は正面視で時計回りに回転する。これにより、右ロック部材１５７は、正面視で反時計回りに回転してロック解除位置（図示外）に到達する（図６の矢印Ｐ１）。ロック解除位置にある右ロック部材１５７は、右装飾体３５の可動範囲から左方に退出する。これにより、右ロック機構１５０は、初期位置又は上端位置にある右装飾体３５の上下動を許容する。
【００４７】
図３、図１３を参照し、左演出装置３２の構成の概略を説明する。左演出装置３２は、左装飾体３４を動作させる装置である。左演出装置３２は、左スライド機構、左回転機構、左昇降機構、及び左ロック機構を備える。左スライド機構は左装飾体３４を左右方向に移動させ、左回転機構は左装飾体３４を回転させ、左昇降機構は左装飾体３４を上下方向に移動させ、左ロック機構は左装飾体３４を所定の高さ位置で保持する。上述した通り、左演出装置３２の構成は、右演出装置３１の構成と略左右対称である。つまり、左スライド機構は右スライド機構６０に、左回転機構は右回転機構８０に、左昇降機構は右昇降機構１００に、左ロック機構は右ロック機構１５０に、それぞれ対応する。左演出装置３２が備える上記四つの機構の説明を省略し、図面での符号による図示も併せて省略する。
【００４８】
左装飾体３４の構成を説明する。左装飾体３４は、左収容体９６、左磁性体９７、左進入部９８、及び左開口部９９を備える。左収容体９６は箱状であり、左回転機構の左回転体に固定される。左磁性体９７は、左収容体９６の内部の前側に収容された永久磁石である。本実施形態では、左磁性体９７は、左収容体９６の右壁部近傍で、上下方向に二つ並んで設けられる。二つの左磁性体９７は、それぞれ、二つの右磁性体３７と左右方向に並ぶ（図３参照）。左進入部９８と左開口部９９は、左収容体９６の上下方向中央部の後部に、上側から設けられる。左進入部９８は、右方に向けて突出した板状であり、右装飾体３５の右開口部３９に進入可能である。左開口部９９は、右方に向けて開口した開口部であり、右装飾体３５の右進入部３８が進入可能である。
【００４９】
演出装置３０の演出動作を説明する。右装飾体３５と左装飾体３４の動作は略左右対称である。以下の動作説明では、右演出装置３１の各種機構の動作を説明しながら、右装飾体３５と左装飾体３４の動作を説明する。さらに、右装飾体３５の位置について定義された上述の離隔位置、初期回転位置、上端位置、及び初期位置等については、左装飾体３４の位置の説明にも用いることとする。
【００５０】
演出動作の開始前、演出装置３０は初期状態である（図１６（ａ）参照）。このとき、右装飾体３５は、離隔位置、第一位置、及び初期位置に位置する（図１６（ａ）参照）。また、右ロック機構１５０が右装飾体３５を保持し（図６参照）、右ラック１０５は右昇降体１０２に下方から接触する（図１２参照）。演出装置３０が初期状態であるときの左演出装置３２の状態は右演出装置３１と同様である。
【００５１】
演出装置３０には、種々の演出動作パターンがあるが、以下、代表的な二パターンの演出動作である第一動作及び第二動作を説明する。第一動作では、右装飾体３５と左装飾体３４は、左右方向に移動した後に回転する（図１６参照）。第二動作では、右装飾体３５と左装飾体３４は、左右方向に移動した後に、一旦上昇してから自由落下する（図１７参照）。
【００５２】
図６、図１６を参照し、演出装置３０の第一動作を説明する。右スライド機構６０の右スライドモータ６３が駆動することで、右アーム６５が背面視で時計回りに回転する（図６の矢印Ｅ）。第一壁部７３Ａが摺動部７６を左方に付勢することで、右移動部材６８は左方への移動を開始する。次いで第二壁部７３Ｂが摺動部７６を左方に付勢することで、右移動部材６８は左方へ更に移動し、右装飾体３５は接近位置に到達する（図６参照）。つまり、摺動部７６が右アーム６５に対して相対的に右側壁部７３に沿って摺動することで、右アーム６５の回転力は右移動部材６８の左右方向における移動力に変換される。尚、第一動作開始時に、摺動部７６が右側壁部７３に対して相対移動する方向である特定方向は、図１７で示す矢印Ｗ方向に相当する。
【００５３】
右装飾体３５と左装飾体３４は、それぞれ、離隔位置から接近位置まで移動する（図１６（ａ）、（ｂ）参照）。このとき、右装飾体３５の右進入部３８は、左装飾体３４の左開口部９９に進入し、左進入部９８は右開口部３９に進入する。右装飾体３５と左装飾体３４は外観視で一体的な装飾体を形成する。さらにこのとき、右磁性体３７と左磁性体９７（図３参照）は互いに引き付け合うので、右装飾体３５と左装飾体３４はいずれも、離隔位置への移動が困難となる。
【００５４】
右装飾体３５と左装飾体３４が接近位置に到達した後、右回転機構８０の右回転モータ８３（図８参照）が駆動する（左回転機構も同様）。これにより、右装飾体３５と左装飾体３４は、初期回転位置から正面視で反時計回りに略９０°回転し、作動回転位置に到達する（図１６（ｃ）参照）。その後、右回転モータ８３と右スライドモータ６３が順に逆転駆動する（左演出装置３２においても同様）。これにより、右装飾体３５と左装飾体３４は、作動回転位置から初期回転位置まで回転し（図１６（ｂ）参照）、その後、接近位置から離隔位置まで移動する（図１６（ａ）参照）。演出装置３０は、初期状態に戻り第一動作を終了する。
【００５５】
図６、図１２、図１７〜図２２を参照し、演出装置３０の第二動作を説明する。尚、第一動作と重複する説明については、以下、簡略化する。右演出装置３１の右スライドモータ６３が駆動し、左演出装置３２も同様の動作を実行することで、右装飾体３５と左装飾体３４はいずれも接近位置に到達する（図１７（ａ）、（ｂ）参照）
【００５６】
右装飾体３５と左装飾体３４が接近位置に到達した後、右ロック機構１５０の右ソレノイド１５２がＯＦＦからＯＮに切り替わり、右ロック部材１５７は、ロック位置からロック解除位置に向けて回転する（図６の矢印Ｐ１）。保持部１５７Ｃが第一規制部１６１に対して摺動した後、右ロック部材１５７はロック解除位置に到達し、右装飾体３５の可動範囲から退出する（図示略）。右装飾体３５は上下動可能な状態になる。右昇降機構１００の右昇降モータ１０３が駆動し、右ラック１０５を上昇させる（図１２、図１８参照）。右ラック１０５が右昇降体１０２を押し上げ、右装飾体３５は上端位置に到達する（図１９参照）。その後、右ソレノイド１５２がＯＮからＯＦＦに切り替わり、右ロック部材１５７はロック位置まで回転する（図１９の矢印Ｑ１）。保持部１５７Ｃが第二規制部１６２に対して下側から点接触することで、右ロック機構１５０は、上端位置にある右装飾体３５を保持する。その後、右昇降モータ１０３が反対方向に駆動することで、右ラック１０５は、右昇降体１０２から離隔して可動範囲下端まで下降する（図２０参照）。左演出装置３２は、右演出装置３１と左右対称の動作を実行する。従って、左装飾体３４は、右装飾体３５と一体的に初期位置から上端位置まで上昇し保持される（図１７（ｂ）、（ｃ）参照）。
【００５７】
右ラック１０５が可動範囲下端に到達した後、右ソレノイド１５２がＯＦＦからＯＮに切り替わる。保持部１５７Ｃが第二規制部１６２に対して摺動しながら、右ロック部材１５７はロック位置からロック解除位置まで回転する（図１９の矢印Ｑ２）。左演出装置３２も右演出装置３１と同様の動作を同時に実行する。これにより、右装飾体３５と左装飾体３４は、重力により付勢されて同じタイミングで自由落下を開始する（図１７（ｃ）の矢印Ｒ）。
【００５８】
図２１、図２２に示すように、自由落下の開始後、右演出装置３１では、右装飾体３５の第二接触部３６Ｂ（図９参照）が接触ピン１２１Ｂに接触する。接触ピン１２１Ｂが下方に付勢されるので、右連動装飾体１２１は第一位置から第二位置に向けた回転を開始する（矢印Ｕ）。その直後、右装飾体３５の第一接触部３６Ａが第一緩衝部材１１１に接触し（図示略）、右装飾体３５の自由落下の勢いは弱まる。さらにその直後、右連動装飾体１２１の収容部１２１Ａが第二緩衝部材１１２に接触する。第二緩衝部材１１２は右連動装飾体１２１の回転の勢いを弱め、右連動装飾体１２１は第二位置で停止する（図２２参照）。同時に、右連動装飾体１２１は、第二接触部３６Ｂが接触ピン１２１Ｂに接触した状態で下端位置に到達し停止する。左演出装置３２も同様の動作を実行する。従って、右装飾体３５と左装飾体３４は同じタイミングで下端位置に到達する（図１７（ｃ）、（ｄ）参照）。
【００５９】
詳細な図示は省略するが、右装飾体３５が下端位置に到達した後、右昇降モータ１０３が右ラック１０５を上昇させ、右装飾体３５は上昇する。右装飾体３５の上昇に伴い右連動装飾体１２１は自重により第二位置から第一位置まで自重により戻る。右装飾体３５が、接触ピン１２１Ｂから上方に離隔した後、右装飾体３５の上凸部１６９（図６参照）が、右ロック部材１５７の先端１５７Ｆ（図６参照）に下方から接触して、ロック位置にある右ロック部材１５７をロック解除位置に向けて回転させる。そして、右装飾体３５が初期位置に復帰したタイミングで、右ロック部材１５７はソレノイドバネの付勢力でロック位置まで復帰する（図６参照）。保持部１５７Ｃは、第一規制部１６１を下側から保持する（図６参照）。その後、右スライドモータ６３が逆転駆動することで、右装飾体３５は接近位置から離隔位置まで移動する（図３参照）。左演出装置３２も同様の動作を実行する。これにより、演出装置３０は、初期状態に戻り、第二動作を終了する。
【００６０】
尚、演出装置３０は、第一動作と第二動作の他に、第三動作を実行可能である（図示略）。第三動作は第二動作と類似した動作であり、右装飾体３５と左装飾体３４が、左右方向に移動した後に、上昇することなく自由落下する動作である。第三動作では、右装飾体３５と左装飾体３４が初期位置にある状態で、右ロック部材１５７と左ロック部材がそれぞれロック位置からロック解除位置に回転する。これにより、右装飾体３５と左装飾体３４は初期位置から下端位置まで自由落下する。詳細な動作については、説明の重複を避ける都合、省略する。 
【００６１】
以上、説明したように、右ロック部材１５７がロック位置からロック解除位置に回転すると、右装飾体３５は重力により下方に付勢されて、自由落下する。また、右装飾体３５は、初期位置と上端位置のいずれの位置にある場合であっても、ロック位置にある右ロック部材１５７によって、自由落下を規制される。従って、右装飾体３５は、初期位置から下端位置まで自由落下する動作と、初期位置から上端位置まで上昇する動作と、上端位置から下端位置まで落下する動作との少なくとも三パターンの動作を実行できる。よって、右装飾体３５の動作パターンが多様化したパチンコ機１が実現できる。
【００６２】
ソレノイドバネによって付勢される右ロック部材１５７が位置決め部１５９Ａに接触してロック位置にて位置決めされる構成が採用されるので、パチンコ機１は右ロック部材１５７をロック位置にて安定的に保持できる。よって、ロック位置にある右ロック部材１５７は、初期位置又は上端位置にある右装飾体３５の落下を確実に規制できる。また、上記構成では、位置決め部１５９Ａの配置位置で、右ロック部材１５７のロック位置は一定の位置に定まる。従って、パチンコ機１の設計段階において、右ロック部材１５７の回転移動量が自在に設定され易い。従って、右ロック部材１５７のロック位置が最適化され易くなる。
【００６３】
保持部１５７Ｃは、右固定軸１５１を中心として円弧状に湾曲する。右装飾体３５が初期位置で保持される場合、右装飾体３５の自重に起因する下方を向く力が、第一規制部１６１を介して保持部１５７Ｃに加わる。この場合、保持部１５７Ｃが湾曲しているため、上記の力は水平方向に分散され易い。従って、保持部１５７Ｃと第一規制部１６１との間で生じる摩擦力が低減するので、右ロック部材１５７がロック位置からロック解除位置に回転するために必要となる右ソレノイド１５２の駆動力は低減する。よって、右ロック部材１５７はロック位置からロック解除位置に回転し易い。尚、右装飾体３５が上端位置で保持される場合、右装飾体３５の自重に起因する下方を向く力が、第二規制部１６２を介して保持部１５７Ｃに加わるが、この時においても、パチンコ機１は同様の効果を奏する。
【００６４】
上端位置は、初期位置に対して下端位置とは反対側（即ち上側）にある。従って、第二動作と第一動作との違いを遊技者は識別し易いので、パチンコ機１は、右装飾体３５を上下動させる場合の演出効果を向上させることができる。また、初期位置にある右装飾体３５が上端位置に向けて上昇するのを、ロック位置にある右ロック部材１５７が規制する。従って、初期位置にある右装飾体３５に突発的な上方を向く外力が作用した場合であっても、パチンコ機１は右装飾体３５を初期位置で安定的に保持できる。
【００６５】
以上説明にて、パチンコ機１は本発明の「遊技機」の一例である。右ロック部材１５７は本発明の「ロック部材」の一例である。初期位置は本発明の「待機位置」の一例である。下端位置は本発明の「停止位置」の一例である。上端位置は本発明の「所定位置」の一例である。
【００６６】
本発明は上記実施例に限定されない。右移動部材６８は、左右方向に移動する代わりに例えば前後方向に移動してもよいし、前後方向に延びる軸線を中心に回転移動可能であってもよい。右ロック部材１５７は、前後方向に沿う右固定軸１５１を中心に回転可能である代わりに、例えば左右方向に直線移動可能であってもよい。この場合、右ソレノイド１５２は、その駆動軸が左右方向に延びる姿勢で配置されてもよい。右ロック部材１５７は、右ソレノイド１５２の駆動力で移動する代わりに、例えばモータの駆動力で動作してもよい。
【００６７】
右装飾体３５は、重力によって付勢されることにより、初期位置から下端位置まで落下することに限定されない。例えば、弾性部材の付勢力、モータの駆動力、又はソレノイドの駆動力によって、右装飾体３５は、初期位置から下端位置まで落下してもよい。このときの落下は、自由落下よりも高速な落下であってもよい。右装飾体３５は、上下方向に移動可能である代わりに、例えば左右方向又は前後方向に移動可能であってもよいし、前後方向に延びる軸線回りに回転移動可能であってもよい。
【００６８】
また、保持部１５７Ｃは円弧状に湾曲していなくてもよい。例えば図２３で示される右ロック部材１５７の変形例である右ロック部材２５７の保持部２５８のように、左上方から右下方に向けて傾斜する平面状であってもよい。この場合でも、保持部２５８が上下方向に対して傾斜しているので、右装飾体３５の自重により例えば第一規制部１６１を介して保持部２５８に対して加わる力は分散する。よって、右ロック部材２５７は、ロック位置からロック解除位置に回転し易い。本変形例において、右ロック部材２５７は本発明の「ロック部材」の一例である。
【００６９】
また、請求項、明細書および図面に記載される全ての要素（例えば、大入賞口、第一特別図柄始動電動役物１４等）は、個数を意識的に限定する明確な記載がない限り、物理的に単一であっても複数であっても構わないし、適宜配置の変更が行われても構わない。また、前記要素につけられた名称（要素名）は、単に本件の記載のために便宜上付与したにすぎないものであり、それによって特別な意味が生じることを特に意識したものではない。従って、要素名のみによって要素が何であるかが限定解釈されるものではない。 
【００７０】
更には、上記全ての要素のうちの複数の要素を適宜一体的に構成するか、もしくはひとつの要素を複数の要素に分けて構成するかは、何れも当業者であれば容易に考えられる事項であり、敢えて明細書等において全パターンを記載しなくても何れのパターンも想定範囲内であることは明らかであることから、特許請求の範囲等においてそれらを明確に除外している旨の記載がない限りは、それら全てについて本発明に係る権利範囲に含まれることは言うまでもない。従って、その程度の範囲内での構成上の差異を、本実施例に記載がなされていないことを理由に遊技機に採用することのみでは、本発明に係る権利を回避したことにはあたらない。その他、各要素の構成や形状等における、本実施例から当業者であれば容易に考えられる自明な範囲の差異についても同様である。
【符号の説明】
【００７１】
１                パチンコ機
３５              右装飾体
１５７、２５７    右ロック部材
１５７Ｃ、２５８  保持部
１５９Ａ          位置決め部
【図１】
2019030466.tif 000003
【図２】
2019030466.tif 000004
【図３】
2019030466.tif 000005
【図４】
2019030466.tif 000006
【図５】
2019030466.tif 000007
【図６】
2019030466.tif 000008
【図７】
2019030466.tif 000009
【図８】
2019030466.tif 000010
【図９】
2019030466.tif 000011
【図１０】
2019030466.tif 000012
【図１１】
2019030466.tif 000013
【図１２】
2019030466.tif 000014
【図１３】
2019030466.tif 000015
【図１４】
2019030466.tif 000016
【図１５】
2019030466.tif 000017
【図１６】
2019030466.tif 000018
【図１７】
2019030466.tif 000019
【図１８】
2019030466.tif 000020
【図１９】
2019030466.tif 000021
【図２０】
2019030466.tif 000022
【図２１】
2019030466.tif 000023
【図２２】
2019030466.tif 000024
【図２３】
2019030466.tif 000025